(57)【特許請求の範囲】
【請求項１】
信号情報をあらわす８ビットワード列データを得て、所定のタイミング信号に応じて、上記８ビットワード列データにおけるワード間に、各々が予め設定されたコードを有する８ビットワードデータとされた特定同期ワードデータ及び少なくとも一つの補助ワードデータを含んだ付加ワードデータグループを配し、該付加ワードデータグループが配された８ビットワード列データについての１０ビットワード列データへのビット変換を行って、上記特定同期ワードデータに基づく１０ビット同期ワードデータを含んだ上記付加ワードデータグループに基づく部分を有する複合１０ビットワード列データを得、該複合１０ビットワード列データを伝送すべく送出し、
上記８ビットワード列データにおけるワード間に上記付加ワードデータグループを配すにあたり、該付加ワードデータグループを、上記複合１０ビットワード列データにおける上記付加ワードデータグループに基づく部分において、上記１０ビット同期ワードデータがランニング・ディスパリティを常時正もしくは常時負とすることになるものに選定することを特徴とするデータ伝送方法。
【請求項２】
付加ワードデータグループを、複合１０ビットワード列データにおける上記付加ワードデータグループに基づく部分において、１０ビット同期ワードデータが、ランニング・ディスパリティを常時正とすることになるものに選定することを特徴とする請求項１記載のデータ伝送方法。
【請求項３】
複合１０ビットワード列データにおける付加ワードデータグループに基づく部分を、該部分の直前の１０ビットワードデータがランニング・ディスパリティを正とするものであるとき、ランニング・ディスパリティを負とする１０ビットワードデータ、及び、該１０ビットワードデータにランニング・ディスパリティをニュートラルとする１０ビットワードデータを介させて、もしくは、介在させることなく続く１０ビット同期ワードデータを含むものとし、また、上記部分の直前の１０ビットワードデータがランニング・ディスパリティを負とするものであるとき、ランニング・ディスパリティをニュートラルとする１０ビットワードデータ、及び、該１０ビットワードデータに他のランニング・ディスパリティをニュートラルとする１０ビットワードデータを介させて、もしくは、介在させることなく続く１０ビット同期ワードデータを含むものとすることを特徴とする請求項２記載のデータ伝送方法。
【請求項４】
複合１０ビットワード列データにおける付加ワードデータグループに基づく部分を、１０ビット同期ワードデータに続く他の１０ビットワードデータを含むものとすることを特徴とする請求項３記載のデータ伝送方法。
【請求項５】
付加ワードデータグループを、複合１０ビットワード列データにおける上記付加ワードデータグループに基づく部分において、１０ビット同期ワードデータが、ランニング・ディスパリティを常時負とすることになるものに選定することを特徴とする請求項１記載のデータ伝送方法。
【請求項６】
複合１０ビットワード列データにおける付加ワードデータグループに基づく部分を、該部分の直前の１０ビットワードデータがランニング・ディスパリティを負とするものであるとき、ランニング・ディスパリティを正とする１０ビットワードデータ、及び、該１０ビットワードデータにランニング・ディスパリティをニュートラルとする１０ビットワードデータを介させて、もしくは、介在させることなく続く１０ビット同期ワードデータを含むものとし、また、上記部分の直前の１０ビットワードデータがランニング・ディスパリティを正とするものであるとき、ランニング・ディスパリティをニュートラルとする１０ビットワードデータ、及び、該１０ビットワードデータに他のランニング・ディスパリティをニュートラルとする１０ビットワードデータを介させて、もしくは、介在させることなく続く１０ビット同期ワードデータを含むものとすることを特徴とする請求項５記載のデータ伝送方法。
【請求項７】
複合１０ビットワード列データにおける付加ワードデータグループに基づく部分を、１０ビット同期ワードデータにに続く他の１０ビットワードデータを含むものとすることを特徴とする請求項６記載のデータ伝送方法。
【請求項８】
複合１０ビットワード列データをシリアルデータに変更し、該シリアルデータを伝送すべく送出することを特徴とする請求項１から請求項７までのいずれかに記載のデータ伝送方法。
【請求項９】
シリアルデータの送出が、オプティカル・ファイバが用いられて構成されたデータ伝送路を通じて伝送されるべく行われることを特徴とする請求項８記載のデータ伝送方法。
【請求項１０】
８ビットワード列データが映像信号情報をあらわし、該８ビットワード列データにおけるワード間に付加ワードデータグループが配されるに際して用いられるタイミング信号が、上記映像信号情報における各水平期間分に同期したものとされることを特徴とする請求項１から請求項９までのいずれかに記載のデータ伝送方法。
【請求項１１】
信号情報をあらわす８ビットワード列データを得るディジタルデータ形成部と、
所定のタイミング信号に応じて、上記８ビットワード列データにおけるワード間に、各々が予め設定されたコードを有する８ビットワードデータとされた特定同期ワードデータ及び少なくとも一つの補助ワードデータを含んだ付加ワードデータグループを配し、上記付加ワードデータグループが配された８ビットワード列データについての１０ビットワード列データへのビット変換を行って、上記特定同期ワードデータに基づく１０ビット同期ワードデータを含んだ上記付加ワードデータグループに基づく部分を有する複合１０ビットワード列データを得る１０ビットワード列データ形成部と、
上記複合１０ビットワード列データを伝送すべく送出するデータ送出部と、
を備えて構成され、
上記１０ビットワード列データ形成部が、上記付加ワードデータグループを、上記１０ビットワード列データ形成部からの上記複合１０ビットワード列データにおける上記付加ワードデータグループに基づく部分において、上記１０ビット同期ワードデータが、ランニング・ディスパリティを常時正もしくは常時負とすることになるものとして、上記８ビットワード列データにおけるワード間に配することを特徴とするデータ伝送装置。
【請求項１２】
１０ビットワード列データ形成部が、付加ワードデータグループを、１０ビットワード列データ形成部からの複合１０ビットワード列データにおける上記付加ワードデータグループに基づく部分において、１０ビット同期ワードデータが、ランニング・ディスパリティを常時正とすることになるものとして、８ビットワード列データにおけるワード間に配することを特徴とする請求項１１記載のデータ伝送装置。
【請求項１３】
１０ビットワード列データ形成部に付加ワードデータグループを供給するワードデータ送出部が設けられたことを特徴とする請求項１２記載のデータ伝送装置。
【請求項１４】
ワードデータ送出部が、付加ワードデータグループを、１０ビットワード列データ形成部からの複合１０ビットワード列データにおける付加ワードデータグループに基づく部分の直前の１０ビットワードデータがランニング・ディスパリティを正とするものとなるとき、ランニング・ディスパリティを負とする１０ビットワードデータ、及び、該１０ビットワードデータにランニング・ディスパリティをニュートラルとする１０ビットワードデータを介させて、もしくは、介在させることなく続く１０ビット同期ワードデータを含むものとして、また、上記部分の直前の１０ビットワードデータがランニング・ディスパリティを負とするものであるとき、ランニング・ディスパリティをニュートラルとする１０ビットワードデータ、及び、該１０ビットワードデータに他のランニング・ディスパリティをニュートラルとする１０ビットワードデータを介させて、もしくは、介在させることなく続く１０ビット同期ワードデータを含むものとして、上記１０ビットワード列データ形成部に供給することを特徴とする請求項１３記載のデータ伝送装置。
【請求項１５】
ワードデータ送出部が、付加ワードデータグループを、１０ビット同期ワードデータに続く他の１０ビットワードデータを含むものとして、１０ビットワード列データ形成部に供給することを特徴とする請求項１４記載のデータ伝送装置。
【請求項１６】
１０ビットワード列データ形成部が、付加ワードデータグループを、１０ビットワード列データ形成部からの複合１０ビットワード列データにおける上記付加ワードデータグループに基づく部分において、１０ビット同期ワードデータが、ランニング・ディスパリティを常時負とすることになるものとして、８ビットワード列データにおけるワード間に配することを特徴とする請求項１１記載のデータ伝送装置。
【請求項１７】
１０ビットワード列データ形成部に付加ワードデータグループを供給するワードデータ送出部が設けられたことを特徴とする請求項１６記載のデータ伝送装置。
【請求項１８】
ワードデータ送出部が、付加ワードデータグループを、１０ビットワード列データ形成部からの複合１０ビットワード列データにおける付加ワードデータグループに基づく部分の直前の１０ビットワードデータがランニング・ディスパリティを負とするものとなるとき、ランニング・ディスパリティを正とする１０ビットワードデータ、及び、該１０ビットワードデータにランニング・ディスパリティをニュートラルとする１０ビットワードデータを介させて、もしくは、介在させることなく続く１０ビット同期ワードデータを含むものとして、また、上記部分の直前の１０ビットワードデータがランニング・ディスパリティを正とするものであるとき、ランニング・ディスパリティをニュートラルとする１０ビットワードデータ、及び、該１０ビットワードデータに他のランニング・ディスパリティをニュートラルとする１０ビットワードデータを介させて、もしくは、介在させることなく続く１０ビット同期ワードデータを含むものとして、上記１０ビットワード列データ形成部に供給することを特徴とする請求項１７記載のデータ伝送装置。
【請求項１９】
ワードデータ送出部が、付加ワードデータグループを、１０ビット同期ワードデータにさらに他のランニング・ディスパリティをニュートラルとする１０ビットワードデータに続く他の１０ビットワードデータを含むものとして、１０ビットワード列データ形成部に供給することを特徴とする請求項１８記載のデータ伝送装置。
【請求項２０】
データ送出部が、複合１０ビットワード列データをシリアルデータに変更し、該シリアルデータを伝送すべく送出することを特徴とする請求項１１から請求項１９までのいずれかに記載のデータ伝送装置。
【請求項２１】
データ送出部が、シリアルデータを、オプティカル・ファイバが用いられて構成されたデータ伝送路へと送出することを特徴とする請求項２０記載のデータ伝送装置。
【請求項２２】
ディジタルデータ形成部から得られる８ビットワード列データが映像信号情報をあらわし、１０ビットワード列データ形成部により上記８ビットワード列データにおけるワード間に付加ワードデータグループが配されるに際して用いられるタイミング信号が、上記映像信号情報における各水平期間分に同期したものとされることを特徴とする請求項１１から請求項２１までのいずれかに記載のデータ伝送装置。
【発明の詳細な説明】
【０００１】
【発明の属する技術分野】
本願の特許請求の範囲に記載された発明は、例えば、１０ビットワード列データにデータ変換が施されて得られる、映像信号情報等の信号情報をあらわす８ビットワード列データを、同期ワードデータを含んだ１０ビットワード列データに変換して伝送路に送出する、データ伝送方法及び装置に関する。
【０００２】
【従来の技術】
映像信号情報等の各種の信号情報をあらわすディジタルデータの伝送の一態様として、ディジタルデータを光信号に変換し、オプティカル・ファイバが用いられて形成された伝送路を通じて伝送する光伝送システムが提案されている。このような光伝送システムのもとで扱われるディジタルデータは、例えば、数百Ｍbps から１Ｇbps まで程度のビットレートを有したシリアルデータとされる。
【０００３】
斯かる光伝送システムとして知られているシステムの一つ（以下、ファイバーチャンネル・システム（Fibre Channel System) と言う）のもとで扱われるディジタルデータは、送信側において、例えば、８ビットをもって１ワードが構成される８ビットワード列データから１０ビットをもって１ワードが構成される１０ビットワード列データへのビット変換、即ち、８Ｂ−１０Ｂ変換が行われて、１０ビットワード列データとされる。そして、実際に伝送されるのは、このようにして形成された１０ビットワード列データに、さらにパラレル／シリアル変換処理が施されて得られるシリアルデータとされる。一方、受信側においては、受信されたシリアルデータにシリアル／パラレル変換処理が施されて１０ビットワード列データが形成され、その１０ビットワード列データについて、元の８ビットワード列データに戻すための、１０ビットをもって１ワードが構成される１０ビットワード列データから８ビットをもって１ワードが構成される８ビットワード列データへのビット変換、即ち、１０Ｂ−８Ｂ変換が行われる。
【０００４】
また、ファイバーチャンネル・システムのもとで、オプティカル・ファイバが用いられて形成された伝送路を１０ビットワード列データとして伝送されるディジタルデータは、例えば、図６に示される如くの、“フレーム”と称される最小の独立したパケットが形成されるデータフォーマットに従うものとされる。図６に示される“フレーム”にあっては、全体が２１４８バイトで構成されており、その内容は、４バイト構成のフレームスタート部分，２４バイト構成のフレームヘッダ部分，６４バイト構成のオプショナルヘッダ部分，２０４８バイト構成のペイロード部分，４バイト構成のエラーチェック部分及び４バイト構成のフレームエンド部分が順次連なるものとなっている。
【０００５】
これらの“フレーム”を構成する各部分のうちの２０４８バイトのペイロード部分が、信号情報をあらわす１０ビットワード列データを格納する。即ち、１０ビットワード列データが伝送されるにあたっては、送信側において、ペイロード部分に最大で２０４８バイトの１０ビットワード列データを格納した“フレーム”が多数形成され、それらが順次送出され、受信側においては、順次到来する多数の“フレーム”の夫々におけるペイロード部分から、１０ビットワード列データを取り出す。
【０００６】
このような１０ビットワード列データにおける１０ビット構成のワードの夫々は、それを構成する１０ビットが、“１”の数が“０”の数より多いもの，“０”の数が“１”の数より多いもの、もしくは、“１”の数と“０”の数とが等しいものとなる。斯かる“１”及び“０”の夫々の数の状態をあらわすにあたって、例えば、ランニング・ディスパリティ（Running Disparity : ＲＤ）という考え方が導入されており、“１”の数が“０”の数より多いとき、ランニング・ディスパリティ（ＲＤ）が正であると言い、また、“０”の数が“１”の数より多いとき、ＲＤが負であると言い、さらに、“１”の数と“０”の数とが等しいとき、ＲＤがニュートラルであると言う。そして、“１”の数が“０”の数より多いワードデータはＲＤを正とするワードデータ，“０”の数が“１”の数より多いワードデータはＲＤを負とするワードデータ，“１”の数と“０”の数とが等しいワードデータはＲＤをニュートラルとするワードデータ（ニュートラル・ワードデータ）と称される。
【０００７】
また、前述の如くにして１０ビットワード列データが伝送されるに際しては、受信側において１０ビットワード列データについて行われる１０Ｂ−８Ｂ変換にあたり、１０ビット構成の各ワードデータを的確に把握することが要され、そのため、送信側において、シリアルデータとされて伝送される１０ビットワード列データが同期ワードデータが適宜挿入されたものとされる。この同期ワードデータは、１０ビット構成のワードデータではあるが、情報伝達を行う１０ビット構成のワードデータとしては用いられない特定のコードを有するものとされる。そして、同期ワードデータは、挿入されるに際して、直前のワードデータがＲＤを負とするものであるとき、ＲＤを正とするものとされ、また、直前のワードデータがＲＤを正とするものであるとき、ＲＤを負とするものとされる。
【０００８】
このような同期ワードデータは、例えば、Ｋ２８．５というコードネームで呼ばれる１０ビット構成のワードデータＤＳ（１０）とされる。図７は、Ｋ２８．５というコードネームで呼ばれる１０ビット構成のワードデータＤＳ（１０）を示し、このワードデータＤＳ（１０）は、その直前に配されたワードデータによるＲＤであるＣＲＤが負（−）であるとき、ＲＤを正とする" ００１１１１  １０１０ "とされ、また、直前に配されたワードデータによるＲＤであるＣＲＤが正（＋）であるとき、ＲＤを負とする" １１００００  ０１０１ "とされる（以後、" ００１１１１  １０１０ "を＋Ｋ２８．５と言い、また、" １１００００  ０１０１ "を−Ｋ２８．５と言う）。
【０００９】
斯かるもとで、伝送されるべき１０ビットワード列データが映像信号情報をあらわすものとされるとき、伝送効率を高めるためには、各“フレーム”のペイロード部分にできるだけ多くの１０ビットワード列データを詰め込むことが望まれるので、送信側において、各“フレーム”におけるペイロード部分に、映像信号における多数の水平期間分に対応する１０ビットワード列データが格納されることになる。そこで、受信側におけるデータ処理にあたっての水平同期のため、ペイロード部分に格納される１０ビットワード列データが、映像信号における各水平期間分に対応する部分毎に同期ワードデータが挿入されたものとされることが望まれる。
【００１０】
そこで、送信側において、各“フレーム”のペイロード部分に格納される、映像信号情報をあらわす１０ビットワード列データが、それがあらわす映像信号情報における水平期間分に対応する部分毎に、同期ワードデータとしての役割を果たすべく、例えば、ワードデータＤＳ（１０）が、前述の如くに、直前のワードデータによるＲＤが負か正かに応じてＲＤを正とする＋Ｋ２８．５もしくはＲＤを負とする−Ｋ２８．５として、挿入されたものとされることになる。
【００１１】
【発明が解決しようとする課題】
上述の如くに、例えば、ファイバーチャンネル・システムのもとで、送信側において、ワードデータＤＳ（１０）が同期ワードデータとしての役割を果たすべく挿入された１０ビットワード列データを、ペイロード部分に格納した“フレーム”が、多数形成され、それらの“フレーム”が順次送出されて伝送されるもとで、伝送された多数の“フレーム”を順次受ける受信側においては、各“フレーム”のペイロード部分から取り出した１０ビットワード列データの処理に際しての同期ワードデータ検出にあたり、ワードデータＤＳ（１０）のうちのＲＤを正とするもの、即ち、＋Ｋ２８．５のみを同期ワードデータとして検出する状態、もしくは、ワードデータＤＳ（１０）のうちのＲＤを負とするもの、即ち、−Ｋ２８．５のみを同期ワードデータとして検出する状態がとられるのが一般的である。これは、通常の場合、送信側において行われる１０ビットワード列データに対する同期ワードデータ付加が、所定の制約に従うものとされ、それにより、受信側における同期ワードデータ検出が、＋Ｋ２８．５のみの検出、もしくは、−Ｋ２８．５のみの検出で事足りるようにされるからである。
【００１２】
しかしながら、このように、受信側における同期ワードデータ検出が、ワードデータＤＳ（１０）のうちのＲＤを正とするもの、即ち、＋Ｋ２８．５のみを同期ワードデータとして検出することにより、もしくは、ワードデータＤＳ（１０）のうちのＲＤを負とするもの、即ち、−Ｋ２８．５のみを同期ワードデータとして検出することにより行われるようにされると、上述の如くに、各“フレーム”のペイロード部分に格納される１０ビットワード列データが、映像信号情報をあらわし、映像信号における水平期間分に対応する部分毎に、その直前のワードデータによるＲＤの状況に応じて、ＲＤを正とするワードデータＤＳ（１０）である＋Ｋ２８．５とＲＤを負とするワードデータＤＳ（１０）である−Ｋ２８．５とが、同期ワードデータの役割を果たすべく挿入されたものとされる場合には、受信側においてデータ処理が行われるに際して不都合が生じる。
【００１３】
即ち、受信側における同期ワードデータ検出が、ＲＤを正とするワードデータＤＳ（１０）である＋Ｋ２８．５のみを同期ワードデータとして検出することにより、もしくは、ＲＤを負とするワードデータＤＳ（１０）である−Ｋ２８．５のみを同期ワードデータとして検出することにより行われる状況のもとでは、受信側において各“フレーム”のペイロード部分から取り出した１０ビットワード列データの処理が行われるに際し、１０ビットワード列データにおけるそれがあらわす映像信号情報における水平期間分に対応する部分毎に同期ワードデータ検出が行われる状態が確保されなくなってしまう。そして、その結果、１０ビットワード列データによりあらわされた映像信号情報の再生にあたり、適正な水平同期が確実に得られる状態でなくなってしまう虞がある。
【００１４】
このことは、映像信号情報等の各種の信号情報をあらわすディジタルデータの伝送を、例えば、ファイバーチャンネル・システムに準じ、送信側における８Ｂ−１０Ｂ変換及び同期ワードデータの付加、及び、受信側における同期ワードデータの検出及び１０Ｂ−８Ｂ変換を伴って行おうとする際に、例えば、ファイバーチャンネル・システムによるディジタル・データ処理用に提供されている集積回路（ＩＣ）素子の利用が困難とされることにつながる。ファイバーチャンネル・システムによるディジタル・データ処理用に提供されている集積回路（ＩＣ）素子を利用すると、送信側から送出される１０ビットワード列データが、直前のワードデータによるＲＤの状況に応じて、ＲＤを正とするワードデータＤＳ（１０）である＋Ｋ２８．５とＲＤを負とするワードデータＤＳ（１０）である−Ｋ２８．５とが、同期ワードデータの役割を果たすべく挿入されたものとされることになり、その結果、斯かる１０ビットワード列データを受ける受信側において、同期ワードデータ検出上の不都合が生じることになるからである。
【００１５】
斯かる点に鑑み、本願の特許請求の範囲に記載された発明は、映像信号情報等の信号情報をあらわす８ビットワード列データを、同期ワードデータを含んだ１０ビットワード列データに変換して伝送するにあたり、受信側における同期ワードデータ検出が、ＲＤを正とする同期ワードデータのみを検出するもの、もしくは、ＲＤを負とする同期ワードデータのみを検出するものとされる場合においても、受信側において１０ビットワード列データから８ビットワード列データへの変換等の信号情報の再生のための処理に必要とされるデータ同期状態が、確実に得られる状態が確保されることになるデータ伝送方法、及び、それを実施するデータ伝送装置を提供する。
【００１６】
【課題を解決するための手段】
本願の特許請求の範囲における請求項１から請求項１０までのいずれかに記載された発明に係るデータ伝送方法は、信号情報をあらわす８ビットワード列データを得て、所定のタイミング信号に応じて、８ビットワード列データにおけるワード間に、各々が予め設定されたコードを有する８ビットワードデータとされた特定同期ワードデータ及び少なくとも一つの補助ワードデータを含んだ付加ワードデータグループを配し、その付加ワードデータグループが配された８ビットワード列データについての１０ビットワード列データへのビット変換を行って、特定同期ワードデータに基づく１０ビット同期ワードデータを含んだ付加ワードデータグループに基づく部分を有する複合１０ビットワード列データを得、その複合１０ビットワード列データを伝送すべく送出するようになし、その際、８ビットワード列データにおけるワード間に付加ワードデータグループを配すにあたり、付加ワードデータグループを、複合１０ビットワード列データにおける付加ワードデータグループに基づく部分において、１０ビット同期ワードデータが、ランニング・ディスパリティを常時正もしくは常時負とすることになるものに選定するものとされる。
【００１７】
また、本願の特許請求の範囲における請求項１１から請求項２２までのいずれかに記載された発明に係るデータ伝送装置は、信号情報をあらわす８ビットワード列データを得るディジタルデータ形成部と、所定のタイミング信号に応じて、ディジタルデータ形成部からの８ビットワード列データにおけるワード間に、各々が予め設定されたコードを有する８ビットワードデータとされた特定同期ワードデータ及び少なくとも一つの補助ワードデータを含んだ付加ワードデータグループを配し、付加ワードデータグループが配された８ビットワード列データについての１０ビットワード列データへのビット変換を行って、特定同期ワードデータに基づく１０ビット同期ワードデータを含んだ付加ワードデータグループに基づく部分を有する複合１０ビットワード列データを得る１０ビットワード列データ形成部と、複合１０ビットワード列データを伝送すべく送出するデータ送出部とを備えて構成され、１０ビットワード列データ形成部が、付加ワードデータグループを、１０ビットワード列データ形成部からの複合１０ビットワード列データにおける付加ワードデータグループに基づく部分において、１０ビット同期ワードデータが、ランニング・ディスパリティを常時正もしくは常時負とすることになるものとして、８ビットワード列データにおけるワード間に配するものとされて、構成される。
【００１８】
上述の如くの本願の特許請求の範囲における請求項１から請求項１０までのいずれかに記載された発明に係るデータ伝送方法、及び、本願の特許請求の範囲における請求項１１から請求項２２までのいずれかに記載された発明に係るデータ伝送装置にあっては、８ビットワード列データに対して、所定のタイミング信号に応じて各々が設定されたコードを有する８ビットワードデータとされた特定同期ワードデータ及び少なくとも一つの補助ワードデータを含んだ付加ワードデータグループを付加したもとで、１０ビットワード列データへのビット変換を行って複合１０ビットワード列データを得、それを伝送すべく送出するにあたり、その複合１０ビットワード列データが、付加ワードデータグループに基づく部分を含むものとされ、そのワードデータグループに基づく部分が、特定同期ワードデータに基づく１０ビット同期ワードデータを含み、かつ、その１０ビット同期ワードデータが、ＲＤを常時正もしくは常時負とするものとされる。
【００１９】
従って、伝送されるべく送出される複合１０ビットワード列データにあっては、ＲＤを常時正もしくは常時負とする１０ビット同期ワードデータが含まれていることになる。このような１０ビット同期ワードデータは、例えば、ＲＤを正とするワードデータＤＳ（１０）である＋Ｋ２８．５、もしくは、ＲＤを負とするワードデータＤＳ（１０）である−Ｋ２８．５とされる。斯かる複合１０ビットワード列データに含まれる１０ビット同期ワードデータが、ＲＤを常時正とするものとされるか、ＲＤを常時負とするものとされるかは、伝送された複合１０ビットワード列データを受ける受信側における同期ワードデータ検出が、ＲＤを正とする同期ワードデータのみを検出するものされているか、ＲＤを負とする同期ワードデータのみを検出するものとされているかに応じて設定される。
【００２０】
このように伝送されるべく送出される複合１０ビットワード列データは、それを受ける受信側が同期ワードデータ検出を、ＲＤを正とする同期ワードデータのみを検出することにより行う場合、もしくは、ＲＤを負とする同期ワードデータのみを検出することにより行う場合のいずれのもとにおいても、受信側において、１０ビット同期ワードデータが、１０ビットワード列データから８ビットワード列データへの変換等のため必要とされる同期ワードデータとして、適正に検出されることになるものとされる。それゆえ、受信側にあっては、受信された複合１０ビットワード列データに基づく信号情報の再生のための処理に必要とされるデータ同期状態が、確実に得られる状態が確保されることになる。
【００２１】
そして、本願の特許請求の範囲における請求項１から請求項１０までのいずれかに記載された発明に係るデータ伝送方法、及び、本願の特許請求の範囲における請求項１１から請求項２２までのいずれかに記載された発明に係るデータ伝送装置にあっては、例えば、ファイバーチャンネル・システムによるディジタル・データ処理用に提供されている集積回路（ＩＣ）素子を有効に利用することができることになる。
【００２２】
また、本願の特許請求の範囲における請求項１から請求項１０までのいずれかに記載された発明に係るデータ伝送方法、及び、本願の特許請求の範囲における請求項１１から請求項２２までのいずれかに記載された発明に係るデータ伝送装置においては、複合１０ビットワード列データに含まれる付加ワードデータグループに基づく部分は、例えば、４ワードデータ構成，３ワードデータ構成もしくは２ワードデータ構成をとるものとされる。
【００２３】
複合１０ビットワード列データに含まれる付加ワードデータグループに基づく部分が、４ワードデータ構成とされる場合には、本願の特許請求の範囲における請求項４に記載された発明に係るデータ伝送方法、及び、請求項１５に記載された発明に係るデータ伝送装置における如くに、当該付加ワードデータグループに基づく部分は、当該部分の直前の１０ビットワードデータがＲＤを正とするとき、ＲＤを負とする１０ビットワードデータ，その１０ビットワードデータにＲＤをニュートラルとする１０ビットワードデータを介在させて、もしくは、介在させることなく続く、ＲＤを正とする１０ビット同期ワードデータ、及び、その１０ビット同期ワードデータに続く他の１０ビットワードデータを含むものとして形成され、また、当該部分の直前の１０ビットワードデータがＲＤを負とするとき、ＲＤをニュートラルとする１０ビットワードデータ，その１０ビットワードデータに他のＲＤをニュートラルとする１０ビットワードデータを介在させて、もしくは、介在させることなく続く、ＲＤを正とする１０ビット同期ワードデータ、及び、その１０ビット同期ワードデータに続く他の１０ビットワードデータを含むものとして形成される。
【００２４】
あるいは、本願の特許請求の範囲における請求項７に記載された発明に係るデータ伝送方法、及び、請求項１９に記載された発明に係るデータ伝送装置における如くに、当該付加ワードデータグループに基づく部分は、当該部分の直前の１０ビットワードデータがＲＤを負とするとき、ＲＤを正とする１０ビットワードデータ，その１０ビットワードデータにＲＤをニュートラルとする１０ビットワードデータを介在させて、もしくは、介在させることなく続く、ＲＤを負とする１０ビット同期ワードデータ、及び、その１０ビット同期ワードデータに続く他の１０ビットワードデータを含むものとして形成され、また、当該部分の直前の１０ビットワードデータがＲＤを正とするとき、ＲＤをニュートラルとする１０ビットワードデータ，その１０ビットワードデータに他のＲＤをニュートラルとする１０ビットワードデータを介在させて、もしくは、介在させることなく続く、ＲＤを負とする１０ビット同期ワードデータ、及び、その１０ビット同期ワードデータに続く他の１０ビットワードデータを含むものとして形成される。
【００２５】
また、複合１０ビットワード列データに含まれる付加ワードデータグループに基づく部分が、３ワードデータ構成とされる場合には、本願の特許請求の範囲における請求項３に記載された発明に係るデータ伝送方法、及び、請求項１４に記載された発明に係るデータ伝送装置における如くに、当該付加ワードデータグループに基づく部分は、当該部分の直前の１０ビットワードデータがＲＤを正とするとき、ＲＤを負とする１０ビットワードデータ、及び、その１０ビットワードデータにＲＤをニュートラルとする１０ビットワードデータを介在させて、もしくは、介在させることなく続く、ＲＤを正とする１０ビット同期ワードデータを含むものとして形成され、また、当該部分の直前の１０ビットワードデータがＲＤを負とするとき、ＲＤをニュートラルとする１０ビットワードデータ、及び、その１０ビットワードデータに他のＲＤをニュートラルとする１０ビットワードデータを介在させて、もしくは、介在させることなく続く、ＲＤを正とする１０ビット同期ワードデータを含むものとして形成される。
【００２６】
あるいは、本願の特許請求の範囲における請求項７に記載された発明に係るデータ伝送方法、及び、請求項１８に記載された発明に係るデータ伝送装置における如くに、当該付加ワードデータグループに基づく部分は、当該部分の直前の１０ビットワードデータがＲＤを負とするとき、ＲＤを正とする１０ビットワードデータ、及び、その１０ビットワードデータにＲＤをニュートラルとする１０ビットワードデータを介在させて、もしくは、介在させることなく続く、ＲＤを負とする１０ビット同期ワードデータを含むものとして形成され、また、当該部分の直前の１０ビットワードデータがＲＤを正とするとき、ＲＤをニュートラルとする１０ビットワードデータ、及び、その１０ビットワードデータに他のＲＤをニュートラルとする１０ビットワードデータを介在させて、もしくは、介在させることなく続く、ＲＤを負とする１０ビット同期ワードデータを含むものとして形成される。
【００２７】
さらに、複合１０ビットワード列データに含まれる付加ワードデータグループに基づく部分が、２ワードデータ構成とされる場合には、本願の特許請求の範囲における請求項３に記載された発明に係るデータ伝送方法、及び、請求項１４に記載された発明に係るデータ伝送装置における如くに、当該付加ワードデータグループに基づく部分は、当該部分の直前の１０ビットワードデータがＲＤを正とするとき、ＲＤを負とする１０ビットワードデータに、ＲＤを正とする１０ビット同期ワードデータが続くものとして形成され、また、当該部分の直前の１０ビットワードデータがＲＤを負とするとき、ＲＤをニュートラルとする１０ビットワードデータに、ＲＤを正とする１０ビット同期ワードデータが続くものとして形成される。
【００２８】
あるいは、本願の特許請求の範囲における請求項７に記載された発明に係るデータ伝送方法、及び、請求項１８に記載された発明に係るデータ伝送装置における如くに、当該付加ワードデータグループに基づく部分は、当該部分の直前の１０ビットワードデータがＲＤを負とするとき、ＲＤを正とする１０ビットワードデータに、ＲＤを負とする１０ビット同期ワードデータが続くものとして形成され、また、当該部分の直前の１０ビットワードデータがＲＤを正とするとき、ＲＤをニュートラルとする１０ビットワードデータに、ＲＤを負とする１０ビット同期ワードデータが続くものとして形成される。
【００２９】
【発明の実施の形態】
図１は、本願の特許請求の範囲に記載された発明に係るデータ伝送方法が実施される、本願の特許請求の範囲に記載された発明に係るデータ伝送装置の一例を示す。
【００３０】
図１に示される例においては、３種類の映像信号情報を夫々あらわす１０ビットワード列データＳＶＡ（１０），ＳＶＢ（１０）及びＳＶＣ（１０）が、データ多重部１１に供給される。データ多重部１１には、ワードクロック発生部１２から送出されるワードクロック信号ＣＷＡ及びＣＷＢが供給され、データ多重部１１においては、１０ビットワード列データＳＶＡ（１０），ＳＶＢ（１０）及びＳＶＣ（１０）が、ワードクロック信号ＣＷＡ及びＣＷＢのもとに、夫々の水平期間部分が同期せしめられた状態で多重化され、多重１０ビットワード列データＤＸ（１０) が形成される。多重１０ビットワード列データＤＸ（１０) は、図２のＡに示される如く、その各水平期間部分が、１０ビットワードデータ（Ａ０〜Ａ９），（Ａ１０〜Ａ１９），（Ａ２０〜Ａ２９），・・・・・・  の配列，１０ビットワードデータ（Ｂ０〜Ｂ９），（Ｂ１０〜Ｂ１９），（Ｂ２０〜Ｂ２９），・・・・・  の配列，・  ・  ・  ・  ・  によって構成され、斯かる各水平期間部分においては、３種類の映像信号情報の夫々における各水平期間分が多重化されて格納されている。
【００３１】
データ多重部１１から得られる多重１０ビットワード列データＤＸ（１０) は、８ビットワード列データ形成部１３に供給される。８ビットワード列データ形成部１３には、ワードクロック発生部１２から送出されるワードクロック信号ＣＷＢ及びＣＷＣが供給されるとともに、１０ビットワード列データＳＶＡ（１０），ＳＶＢ（１０）及びＳＶＣ（１０）により夫々あらわされる３種類の映像信号情報に共通の水平同期信号ＳＨも供給される。そして、８ビットワード列データ形成部１３においては、図２のＢに示される如くに、水平同期信号ＳＨの前縁部を基準時点として、多重１０ビットワード列データＤＸ（１０) にワードクロック信号ＣＷＢ及びＣＷＣのもとでの１０Ｂ−８Ｂ変換が施され、多重１０ビットワード列データＤＸ（１０) に基づく多重８ビットワード列データＤＸ（８) が形成される。
【００３２】
多重８ビットワード列データＤＸ（８) は、図２のＣに示される如く、その各水平期間部分が、８ビットワードデータ（Ａ０〜Ａ７），（Ａ８〜Ａ１５），（Ａ１６〜Ａ２３），・・・・・・  の配列，８ビットワードデータ（Ｂ０〜Ｂ７），（Ｂ８〜Ｂ１５），（Ｂ１６〜Ｂ２３），・・・・・  の配列，・  ・  ・・  ・  によって構成され、斯かる各水平期間部分においては、３種類の映像信号情報の夫々における各水平期間分が多重化されて格納されている。
【００３３】
８ビットワード列データ形成部１３から得られる多重８ビットワード列データＤＸ（８) は、１０ビットワード列データ形成部１４に供給される。１０ビットワード列データ形成部１４には、ワードクロック発生部１２から送出されるワードクロック信号ＣＷＣ及びＣＷＢが供給されるとともに、水平同期信号ＳＨが供給されるタイミング信号発生部１５から送出される、水平同期信号ＳＨに基づくタイミング信号ＳＴＭが供給される。さらに、１０ビットワード列データ形成部１４には、ワードデータ送出部１６から送出される、４個の８ビットワードデータである補助ワードデータＤＥＢ（８），補助ワードデータＤＥＡ（８），同期ワードデータＤＥＫ（８）及び補助ワードデータＤＥＣ（８）を含んだ第１の付加ワードデータグループ、及び、ワードデータ送出部１７から送出される、４個の８ビットワードデータである補助ワードデータＤＥＣ（８），補助ワードデータＤＥＡ（８），同期ワードデータＤＥＫ（８）及び補助ワードデータＤＥＣ（８）を含んだ第２の付加ワードデータグループが、必要に応じて供給される。
【００３４】
そして、１０ビットワード列データ形成部１４においては、タイミング信号ＳＴＭに応じて、多重８ビットワード列データＤＸ（８) におけるワード間に、ワードデータ送出部１６からの補助ワードデータＤＥＢ（８），補助ワードデータＤＥＡ（８），同期ワードデータＤＥＫ（８）及び補助ワードデータＤＥＣ（８）を含んだ第１の付加ワードデータグループ、もしくは、ワードデータ送出部１７からの補助ワードデータＤＥＣ（８），補助ワードデータＤＥＡ（８），同期ワードデータＤＥＫ（８）及び補助ワードデータＤＥＣ（８）を含んだ第２の付加ワードデータグループが配される。そして、第１の付加ワードデータグループもしくは第２の付加ワードデータグループが配された多重８ビットワード列データＤＸ（８) に、ワードクロック信号ＣＷＣ及びＣＷＢのもとでの８Ｂ−１０Ｂ変換が施されて、第１の付加ワードデータグループもしくは第２の付加ワードデータグループが配された多重８ビットワード列データＤＸ（８) に基づく複合１０ビットワード列データＤＺ（１０) が形成される。
【００３５】
このようなもとにあって、同期ワードデータＤＥＫ（８）は、１０ビットワードデータに変換されると前述のワードデータＤＳ（１０）とされる８ビットワードデータである。従って、同期ワードデータＤＥＫ（８）は、１０ビットワードデータに変換されるとＫ２８．５というコードネームで呼ばれるものとなり、その直前に配されたワードデータによるＲＤであるＣＲＤが負（−）であるとき、＋Ｋ２８．５となり、また、その直前に配されたワードデータによるＲＤであるＣＲＤが正（＋）であるとき、−Ｋ２８．５となる。
【００３６】
一方、補助ワードデータＤＥＡ（８），ＤＥＢ（８）及びＤＥＣ（８）は、図３に示される如く、夫々" ０１１  １０１０１ "，" １００  １０１０１ "及び" １０１  １０１０１ "とあらわせる８ビットワードデータであり、１０ビットワードデータに変換されるとＤ２１．３，Ｄ２１．４及びＤ２１．５というコードネームで呼ばれるものとなる。Ｄ２１．３は、その直前に配されたワードデータによるＲＤであるＣＲＤが負（−）であるときＲＤをニュートラルとする“１０１０１０  １１００”とされ、その直前に配されたワードデータによるＲＤであるＣＲＤが正（＋）であるときＲＤをニュートラルとする“１０１０１０  ００１１”とされる。また、Ｄ２１．４は、その直前に配されたワードデータによるＲＤであるＣＲＤが負（−）であるときＲＤを正とする“１０１０１０  １１０１”（以下、＋Ｄ２１．４という）とされ、その直前に配されたワードデータによるＲＤであるＣＲＤが正（＋）であるときＲＤを負とする“１０１０１０  ００１０”（以下、−Ｄ２１．４という）とされる。さらに、Ｄ２１．５は、その直前に配されたワードデータによるＲＤであるＣＲＤが負（−）であるか正（＋）であるかにかかわらず、ＲＤをニュートラルとする“１０１０１０  １０１０”とされる。
【００３７】
１０ビットワード列データ形成部１４において、タイミング信号ＳＴＭに応じて、多重８ビットワード列データＤＸ（８) におけるワード間に第１の付加ワードデータグループもしくは第２の付加ワードデータグループが配される際には、タイミング信号ＳＴＭの前縁部により、多重８ビットワード列データＤＸ（８) における、水平同期信号ＳＨの前縁部に対応する始端を有する８ビットワードデータ（Ａ０〜Ａ７），（Ｂ０〜Ｂ７），・・・・・  の夫々（図２のＢ及びＣ）から４ワードデータだけ遡った８ビットワードデータの始端が特定され、タイミング信号ＳＴＭの前縁部の時点から水平同期信号ＳＨの前縁部の時点までの間の４個の８ビットワードデータが、ワードデータ送出部１６からの補助ワードデータＤＥＢ（８），補助ワードデータＤＥＡ（８），同期ワードデータＤＥＫ（８）及び補助ワードデータＤＥＣ（８）を含んだ第１の付加ワードデータグループ、もしくは、ワードデータ送出部１７からの補助ワードデータＤＥＣ（８），補助ワードデータＤＥＡ（８），同期ワードデータＤＥＫ（８）及び補助ワードデータＤＥＣ（８）を含んだ第２の付加ワードデータグループに置き換えられる。
【００３８】
その際、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々（図２のＢ及びＣ）から５ワードデータだけ遡った８ビットワードデータが、１０ビットワードデータに変換されたときＲＤを正（＋）とするものであるとき、タイミング信号ＳＴＭの前縁部の時点から水平同期信号ＳＨの前縁部の時点までの間の４個の８ビットワードデータが、補助ワードデータＤＥＢ（８），補助ワードデータＤＥＡ（８），同期ワードデータＤＥＫ（８）及び補助ワードデータＤＥＣ（８）を含んだ第１の付加ワードデータグループによって置き換えられ、また、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々（図２のＢ及びＣ）から５ワードデータだけ遡った８ビットワードデータが、１０ビットワードデータに変換されたときＲＤを負（−）とするものであるとき、タイミング信号ＳＴＭの前縁部の時点から水平同期信号ＳＨの前縁部の時点までの間の４個の８ビットワードデータが、補助ワードデータＤＥＣ（８），補助ワードデータＤＥＡ（８），同期ワードデータＤＥＫ（８）及び補助ワードデータＤＥＣ（８）を含んだ第２の付加ワードデータグループによって置き換えられる。
【００３９】
次に、このようにして、タイミング信号ＳＴＭに応じて、補助ワードデータＤＥＢ（８），補助ワードデータＤＥＡ（８），同期ワードデータＤＥＫ（８）及び補助ワードデータＤＥＣ（８）を含んだ第１の付加ワードデータグループ、もしくは、補助ワードデータＤＥＣ（８），補助ワードデータＤＥＡ（８），同期ワードデータＤＥＫ（８）及び補助ワードデータＤＥＣ（８）を含んだ第２の付加ワードデータグループが配された多重８ビットワード列データＤＸ（８) に、８Ｂ−１０Ｂ変換が施されて、複合１０ビットワード列データＤＺ（１０）が形成されるが、その際、同期ワードデータＤＥＫ（８）は、Ｋ２８．５に変換され、また、補助ワードデータＤＥＡ（８），ＤＥＢ（８）及びＤＥＣ（８）は、夫々、Ｄ２１．３，Ｄ２１．４及びＤ２１．５に変換される。
【００４０】
また、水平同期信号ＳＨの前縁部に対応する始端を有する８ビットワードデータ（Ａ０〜Ａ７），（Ｂ０〜Ｂ７），・・・・・  は、夫々、１０ビットワードデータ（Ａ’０〜Ａ’９），（Ｂ’０〜Ｂ’９），・・・・・  に変換され、また、８ビットワードデータ（Ａ０〜Ａ７）に続く８ビットワードデータ（Ａ８〜Ａ１５），（Ａ１６〜Ａ２３）・・・・・  が、夫々、１０ビットワードデータ（Ａ’０〜Ａ’９）に続く１０ビットワードデータ（Ａ’１０〜Ａ’１９），（Ａ’２０〜Ａ’２９）・・・・・  に変換され、８ビットワードデータ（Ｂ０〜Ｂ７）に続く８ビットワードデータ（Ｂ８〜Ｂ１５），（Ｂ１６〜Ｂ２３）・・・・・  が、夫々、１０ビットワードデータ（Ｂ’０〜Ｂ’９）に続く１０ビットワードデータ（Ｂ’１０〜Ｂ’１９），（Ｂ’２０〜Ｂ’２９）・・・・・  に変換される。
【００４１】
このようにして得られる複合１０ビットワード列データＤＺ（１０）は、図２のＤ及びＥに示される如く、タイミング信号ＳＴＭの前縁部の時点以降の４個の１０ビットワードデータが、第１の付加ワードデータグループもしくは第２の付加ワードデータグループに基づく部分を形成する挿入４ワードデータとされる。そして、挿入４ワードデータは、タイミング信号ＳＴＭの前縁部の時点の直前の１０ビットワードデータがＲＤを正（＋）とするとき、第１の付加ワードデータグループに基づく部分を形成し、補助ワードデータＤＥＢ（８）が変換されて得られた１０ビットワードデータである−Ｄ２１．４，補助ワードデータＤＥＡ（８）が変換されて得られた１０ビットワードデータである−Ｄ２１．３，同期ワードデータＤＥＫ（８）が変換されて得られた１０ビット同期ワードデータである＋Ｋ２８．５及び補助ワードデータＤＥＣ（８）が変換されて得られた１０ビットワードデータであるＤ２１．５が順次連なるものとされ、また、タイミング信号ＳＴＭの前縁部の時点の直前の１０ビットワードデータがＲＤを負（−）とするとき、第２の付加ワードデータグループに基づく部分を形成し、補助ワードデータＤＥＣ（８）が変換されて得られた１０ビットワードデータであるＤ２１．５，補助ワードデータＤＥＡ（８）が変換されて得られた１０ビットワードデータであるＤ２１．３，同期ワードデータＤＥＫ（８）が変換されて得られた１０ビット同期ワードデータである＋Ｋ２８．５及び補助ワードデータＤＥＣ（８）が変換されて得られた１０ビットワードデータであるＤ２１．５が順次連なるものとされる。
【００４２】
従って、１０ビットワード列データ形成部１４において形成される複合１０ビットワード列データＤＺ（１０）にあっては、水平同期信号ＳＨの前縁部に対応する始端を有する８ビットワードデータ（Ａ０〜Ａ７），（Ｂ０〜Ｂ７），・・・・・  が、夫々、８ー１０ビット変換されて得られる１０ビットワードデータ（Ａ’０〜Ａ’９），（Ｂ’０〜Ｂ’９），・・・・・  の各々から２ワードデータだけ遡ったところに、必ず、ＲＤを正（＋）とする１０ビット同期ワードデータである＋Ｋ２８．５が存在することになる。即ち、１０ビットワード列データ形成部１４においては、多重８ビットワード列データＤＸ（８）におけるワード間に第１もしくは第２の付加ワードデータグループを配すにあたり、その第１もしくは第２の付加ワードデータグループが、１０ビットワード列データ形成部１４から得られる複合１０ビットワード列データＤＺ（１０）における第１もしくは第２の付加ワードデータグループに基づく部分において、ＲＤを常時正（＋）とする１０ビット同期ワードデータである＋Ｋ２８．５が含まれることになるものに選定されることになる。
【００４３】
１０ビットワード列データ形成部１４から、第１もしくは第２の付加ワードデータグループに基づく部分においてＲＤを常時正（＋）とする１０ビット同期ワードデータである＋Ｋ２８．５が含まれるものとされて得られる、複合１０ビットワード列データＤＺ（１０）は、データ伝送部を形成するパラレル／シリアル（Ｐ／Ｓ）変換部１８に供給される。Ｐ／Ｓ変換部１８においては、複合１０ビットワード列データＤＺ（１０）がシリアルデータＤＺＳに変換される。そして、Ｐ／Ｓ変換部１８から、シリアルデータＤＺＳが、例えば、光送信部を通じて伝送されるべく送出される。光送信部は、例えば、シリアルデータＤＺＳを光信号に変換し、その光信号を、オプティカル・ファイバが用いられて形成されたデータ伝送路に送出する。それによって、シリアルデータＤＺＳの伝送が行われる。
【００４４】
上述の例にあっては、１０ビットワード列データ形成部１４において、タイミング信号ＳＴＭに応じて、多重８ビットワード列データＤＸ（８) におけるワード間に、同期ワードデータを含む４個の８ビットワードデータを含む第１の付加ワードデータグループもしくは第２の付加ワードデータグループが配されるようになされているが、本願の特許請求の範囲に記載された発明に係るデータ伝送方法が実施される、本願の特許請求の範囲に記載された発明に係るデータ伝送装置は斯かる例に限られるものではなく、例えば、１０ビットワード列データ形成部１４において、タイミング信号ＳＴＭに応じて、多重８ビットワード列データＤＸ（８) におけるワード間に、同期ワードデータを含む３個、あるいは、２個の８ビットワードデータを含む第１の付加ワードデータグループもしくは第２の付加ワードデータグループが配されるようになされてもよい。
【００４５】
１０ビットワード列データ形成部１４において、タイミング信号ＳＴＭに応じて、多重８ビットワード列データＤＸ（８) におけるワード間に、同期ワードデータを含む３個の８ビットワードデータを含む第１の付加ワードデータグループもしくは第２の付加ワードデータグループが配される場合には、ワードデータ送出部１６が、補助ワードデータＤＥＢ（８），同期ワードデータＤＥＫ（８）及び補助ワードデータＤＥＣ（８）を送出し、また、ワードデータ送出部１７が、補助ワードデータＤＥＣ（８），同期ワードデータＤＥＫ（８）及び補助ワードデータＤＥＣ（８）を送出するものとされる。そして、タイミング信号ＳＴＭの前縁部により、多重８ビットワード列データＤＸ（８) における、水平同期信号ＳＨの前縁部に対応する始端を有する８ビットワードデータ（Ａ０〜Ａ７），（Ｂ０〜Ｂ７），・・・・・  の夫々から３ワードデータだけ遡った８ビットワードデータの始端が特定され、タイミング信号ＳＴＭの前縁部の時点から水平同期信号ＳＨの前縁部の時点までの間の３個の８ビットワードデータが、ワードデータ送出部１６からの補助ワードデータＤＥＢ（８），同期ワードデータＤＥＫ（８）及び補助ワードデータＤＥＣ（８）を含んだ第１の付加ワードデータグループ、もしくは、ワードデータ送出部１７からの補助ワードデータＤＥＣ（８），同期ワードデータＤＥＫ（８）及び補助ワードデータＤＥＣ（８）を含んだ第２の付加ワードデータグループに置き換えられる。
【００４６】
斯かる際においても、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から４ワードデータだけ遡った８ビットワードデータが、１０ビットワードデータに変換されたときＲＤを正（＋）とするものであるとき、タイミング信号ＳＴＭの前縁部の時点から水平同期信号ＳＨの前縁部の時点までの間の３個の８ビットワードデータが、補助ワードデータＤＥＢ（８），同期ワードデータＤＥＫ（８）及び補助ワードデータＤＥＣ（８）を含んだ第１の付加ワードデータグループによって置き換えられ、また、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から４ワードデータだけ遡った８ビットワードデータが、１０ビットワードデータに変換されたときＲＤを負（−）とするものであるとき、タイミング信号ＳＴＭの前縁部の時点から水平同期信号ＳＨの前縁部の時点までの間の３個の８ビットワードデータが、補助ワードデータＤＥＣ（８），同期ワードデータＤＥＫ（８）及び補助ワードデータＤＥＣ（８）を含んだ第２の付加ワードデータグループによって置き換えられる。
【００４７】
さらに、１０ビットワード列データ形成部１４において、タイミング信号ＳＴＭに応じて、多重８ビットワード列データＤＸ（８) におけるワード間に、同期ワードデータを含む２個の８ビットワードデータを含む第１の付加ワードデータグループもしくは第２の付加ワードデータグループが配される場合には、ワードデータ送出部１６が、補助ワードデータＤＥＢ（８）及び同期ワードデータＤＥＫ（８）を送出し、また、ワードデータ送出部１７が、補助ワードデータＤＥＣ（８）及び同期ワードデータＤＥＫ（８）を送出するものとされる。そして、タイミング信号ＳＴＭの前縁部により、多重８ビットワード列データＤＸ（８) における、水平同期信号ＳＨの前縁部に対応する始端を有する８ビットワードデータ（Ａ０〜Ａ７），（Ｂ０〜Ｂ７），・・・・・  の夫々から２ワードデータだけ遡った８ビットワードデータの始端が特定され、タイミング信号ＳＴＭの前縁部の時点から水平同期信号ＳＨの前縁部の時点までの間の２個の８ビットワードデータが、ワードデータ送出部１６からの補助ワードデータＤＥＢ（８）及び同期ワードデータＤＥＫ（８）を含んだ第１の付加ワードデータグループ、もしくは、ワードデータ送出部１７からの補助ワードデータＤＥＣ（８）及び同期ワードデータＤＥＫ（８）を含んだ第２の付加ワードデータグループに置き換えられる。
【００４８】
斯かる際においても、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から３ワードデータだけ遡った８ビットワードデータが、１０ビットワードデータに変換されたときＲＤを正（＋）とするものであるとき、タイミング信号ＳＴＭの前縁部の時点から水平同期信号ＳＨの前縁部の時点までの間の２個の８ビットワードデータが、補助ワードデータＤＥＢ（８）及び同期ワードデータＤＥＫ（８）を含んだ第１の付加ワードデータグループによって置き換えられ、また、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から３ワードデータだけ遡った８ビットワードデータが、１０ビットワードデータに変換されたときＲＤを負（−）とするものであるとき、タイミング信号ＳＴＭの前縁部の時点から水平同期信号ＳＨの前縁部の時点までの間の２個の８ビットワードデータが、補助ワードデータＤＥＣ（８）及び同期ワードデータＤＥＫ（８）を含んだ第２の付加ワードデータグループによって置き換えられる。
【００４９】
さらに、上述の例にあっては、１０ビットワード列データ形成部１４から、第１もしくは第２の付加ワードデータグループに基づく部分においてＲＤを常時正（＋）とする１０ビット同期ワードデータである＋Ｋ２８．５が含まれるものとされる、複合１０ビットワード列データＤＺ（１０）が得られるようになされているが、本願の特許請求の範囲に記載された発明に係るデータ伝送方法が実施される、本願の特許請求の範囲に記載された発明に係るデータ伝送装置は斯かる例にも限られず、例えば、１０ビットワード列データ形成部１４から、第１もしくは第２の付加ワードデータグループに基づく部分においてＲＤを常時負（−）とする１０ビット同期ワードデータである−Ｋ２８．５が含まれるものとされる、複合１０ビットワード列データＤＺ（１０）が得られるようになされてもよい。
【００５０】
１０ビットワード列データ形成部１４から、第１もしくは第２の付加ワードデータグループに基づく部分においてＲＤを常時負（−）とする１０ビット同期ワードデータである−Ｋ２８．５が含まれるものとされる、複合１０ビットワード列データＤＺ（１０）が得られるようにされるもとにあっても、１０ビットワード列データ形成部１４において、タイミング信号ＳＴＭに応じて、多重８ビットワード列データＤＸ（８) におけるワード間に、同期ワードデータを含む４個の８ビットワードデータを含む第１の付加ワードデータグループもしくは第２の付加ワードデータグループが配される場合，１０ビットワード列データ形成部１４において、タイミング信号ＳＴＭに応じて、多重８ビットワード列データＤＸ（８) におけるワード間に、同期ワードデータを含む３個の８ビットワードデータを含む第１の付加ワードデータグループもしくは第２の付加ワードデータグループが配される場合、及び、１０ビットワード列データ形成部１４において、タイミング信号ＳＴＭに応じて、多重８ビットワード列データＤＸ（８) におけるワード間に、同期ワードデータを含む２個の８ビットワードデータを含む第１の付加ワードデータグループもしくは第２の付加ワードデータグループが配される場合が考えられる。
【００５１】
１０ビットワード列データ形成部１４から、第１もしくは第２の付加ワードデータグループに基づく部分においてＲＤを常時負（−）とする１０ビット同期ワードデータである−Ｋ２８．５が含まれるものとされる、複合１０ビットワード列データＤＺ（１０）が得られるようにされるもとにあって、１０ビットワード列データ形成部１４において、タイミング信号ＳＴＭに応じて、多重８ビットワード列データＤＸ（８) におけるワード間に、同期ワードデータを含む４個の８ビットワードデータを含む第１の付加ワードデータグループもしくは第２の付加ワードデータグループが配される場合においては、ワードデータ送出部１６が、補助ワードデータＤＥＢ（８），補助ワードデータＤＥＡ（８），同期ワードデータＤＥＫ（８）及び補助ワードデータＤＥＣ（８）を送出し、また、ワードデータ送出部１７が、補助ワードデータＤＥＣ（８），補助ワードデータＤＥＡ（８），同期ワードデータＤＥＫ（８）及び補助ワードデータＤＥＣ（８）及びを送出するものとされる。そして、タイミング信号ＳＴＭの前縁部により、多重８ビットワード列データＤＸ（８) における、水平同期信号ＳＨの前縁部に対応する始端を有する８ビットワードデータ（Ａ０〜Ａ７），（Ｂ０〜Ｂ７），・・・・・  の夫々から４ワードデータだけ遡った８ビットワードデータの始端が特定され、タイミング信号ＳＴＭの前縁部の時点から水平同期信号ＳＨの前縁部の時点までの間の４個の８ビットワードデータが、ワードデータ送出部１６からの補助ワードデータＤＥＢ（８），補助ワードデータＤＥＡ（８），同期ワードデータＤＥＫ（８）及び補助ワードデータＤＥＣ（８）を含んだ第１の付加ワードデータグループ、もしくは、ワードデータ送出部１７からの補助ワードデータＤＥＣ（８），補助ワードデータＤＥＡ（８），同期ワードデータＤＥＫ（８）及び補助ワードデータＤＥＣ（８）を含んだ第２の付加ワードデータグループに置き換えられる。
【００５２】
斯かる際においては、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から５ワードデータだけ遡った８ビットワードデータが、１０ビットワードデータに変換されたときＲＤを負（−）とするものであるとき、タイミング信号ＳＴＭの前縁部の時点から水平同期信号ＳＨの前縁部の時点までの間の４個の８ビットワードデータが、補助ワードデータＤＥＢ（８），補助ワードデータＤＥＡ（８），同期ワードデータＤＥＫ（８）及び補助ワードデータＤＥＣ（８）を含んだ第１の付加ワードデータグループによって置き換えられ、また、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から５ワードデータだけ遡った８ビットワードデータが、１０ビットワードデータに変換されたときＲＤを正（＋）とするものであるとき、タイミング信号ＳＴＭの前縁部の時点から水平同期信号ＳＨの前縁部の時点までの間の３個の８ビットワードデータが、補助ワードデータＤＥＣ（８），補助ワードデータＤＥＡ（８），同期ワードデータＤＥＫ（８）及び補助ワードデータＤＥＣ（８）を含んだ第２の付加ワードデータグループによって置き換えられる。
【００５３】
また、１０ビットワード列データ形成部１４から、第１もしくは第２の付加ワードデータグループに基づく部分においてＲＤを常時負（−）とする１０ビット同期ワードデータである−Ｋ２８．５が含まれるものとされる、複合１０ビットワード列データＤＺ（１０）が得られるようにされるもとにあって、１０ビットワード列データ形成部１４において、タイミング信号ＳＴＭに応じて、多重８ビットワード列データＤＸ（８) におけるワード間に、同期ワードデータを含む３個の８ビットワードデータを含む第１の付加ワードデータグループもしくは第２の付加ワードデータグループが配される場合においては、ワードデータ送出部１６が、補助ワードデータＤＥＢ（８），同期ワードデータＤＥＫ（８）及び補助ワードデータＤＥＣ（８）を送出し、また、ワードデータ送出部１７が、補助ワードデータＤＥＣ（８），同期ワードデータＤＥＫ（８）及び補助ワードデータＤＥＣ（８）を送出するものとされる。そして、タイミング信号ＳＴＭの前縁部により、多重８ビットワード列データＤＸ（８) における、水平同期信号ＳＨの前縁部に対応する始端を有する８ビットワードデータ（Ａ０〜Ａ７），（Ｂ０〜Ｂ７），・・・・・  の夫々から３ワードデータだけ遡った８ビットワードデータの始端が特定され、タイミング信号ＳＴＭの前縁部の時点から水平同期信号ＳＨの前縁部の時点までの間の３個の８ビットワードデータが、ワードデータ送出部１６からの補助ワードデータＤＥＢ（８），同期ワードデータＤＥＫ（８）及び補助ワードデータＤＥＣ（８）を含んだ第１の付加ワードデータグループ、もしくは、ワードデータ送出部１７からの補助ワードデータＤＥＣ（８），同期ワードデータＤＥＫ（８）及び補助ワードデータＤＥＣ（８）を含んだ第２の付加ワードデータグループに置き換えられる。
【００５４】
斯かる際においては、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から４ワードデータだけ遡った８ビットワードデータが、１０ビットワードデータに変換されたときＲＤを負（−）とするものであるとき、タイミング信号ＳＴＭの前縁部の時点から水平同期信号ＳＨの前縁部の時点までの間の３個の８ビットワードデータが、補助ワードデータＤＥＢ（８），同期ワードデータＤＥＫ（８）及び補助ワードデータＤＥＣ（８）を含んだ第１の付加ワードデータグループによって置き換えられ、また、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から４ワードデータだけ遡った８ビットワードデータが、１０ビットワードデータに変換されたときＲＤを正（＋）とするものであるとき、タイミング信号ＳＴＭの前縁部の時点から水平同期信号ＳＨの前縁部の時点までの間の３個の８ビットワードデータが、補助ワードデータＤＥＣ（８），同期ワードデータＤＥＫ（８）及び補助ワードデータＤＥＣ（８）を含んだ第２の付加ワードデータグループによって置き換えられる。
【００５５】
さらに、１０ビットワード列データ形成部１４から、第１もしくは第２の付加ワードデータグループに基づく部分においてＲＤを常時負（−）とする１０ビット同期ワードデータである−Ｋ２８．５が含まれるものとされる、複合１０ビットワード列データＤＺ（１０）が得られるようにされるもとにあって、１０ビットワード列データ形成部１４において、タイミング信号ＳＴＭに応じて、多重８ビットワード列データＤＸ（８) におけるワード間に、同期ワードデータを含む２個の８ビットワードデータを含む第１の付加ワードデータグループもしくは第２の付加ワードデータグループが配される場合においては、ワードデータ送出部１６が、補助ワードデータＤＥＢ（８）及び同期ワードデータＤＥＫ（８）を送出し、また、ワードデータ送出部１７が、補助ワードデータＤＥＣ（８）及び同期ワードデータＤＥＫ（８）を送出するものとされる。そして、タイミング信号ＳＴＭの前縁部により、多重８ビットワード列データＤＸ（８) における、水平同期信号ＳＨの前縁部に対応する始端を有する８ビットワードデータ（Ａ０〜Ａ７），（Ｂ０〜Ｂ７），・・・・・  の夫々から２ワードデータだけ遡った８ビットワードデータの始端が特定され、タイミング信号ＳＴＭの前縁部の時点から水平同期信号ＳＨの前縁部の時点までの間の２個の８ビットワードデータが、ワードデータ送出部１６からの補助ワードデータＤＥＢ（８）及び同期ワードデータＤＥＫ（８）を含んだ第１の付加ワードデータグループ、もしくは、ワードデータ送出部１７からの補助ワードデータＤＥＣ（８）及び同期ワードデータＤＥＫ（８）を含んだ第２の付加ワードデータグループに置き換えられる。
【００５６】
斯かる際においては、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から３ワードデータだけ遡った８ビットワードデータが、１０ビットワードデータに変換されたときＲＤを負（−）とするものであるとき、タイミング信号ＳＴＭの前縁部の時点から水平同期信号ＳＨの前縁部の時点までの間の２個の８ビットワードデータが、補助ワードデータＤＥＢ（８）及び同期ワードデータＤＥＫ（８）を含んだ第１の付加ワードデータグループによって置き換えられ、また、多重８ビットワード列データＤＸ（８) における、タイミング信号ＳＴＭの前縁部の時点の直前の８ビットワードデータ、即ち、水平同期信号ＳＨの前縁部に対応する始端を有する８ビットワードデータ（Ａ０〜Ａ７），（Ｂ０〜Ｂ７），・・・・・  の夫々から３ワードデータだけ遡った８ビットワードデータが、１０ビットワードデータに変換されたときＲＤを正（＋）とするものであるとき、タイミング信号ＳＴＭの前縁部の時点から水平同期信号ＳＨの前縁部の時点までの間の２個の８ビットワードデータが、補助ワードデータＤＥＣ（８）及び同期ワードデータＤＥＫ（８）を含んだ第２の付加ワードデータグループによって置き換えられる。
【００５７】
図４は、図１に示される例におけるデータ送出部を形成するＰ／Ｓ変換部１８から送出される複合１０ビットワード列データＤＺ（１０）に基づくシリアルデータＤＺＳを受信するデータ受信装置の一例を示す。
【００５８】
この図４に示されるデータ受信装置の例にあっては、例えば、オプティカル・ファイバが用いられて形成されたデータ伝送路を通じて伝送された、複合１０ビットワード列データＤＺ（１０）に基づくシリアルデータＤＺＳが供給される、シリアル／パラレル（Ｓ／Ｐ）変換・クロック検出部２１が備えられている。そして、Ｓ／Ｐ変換・クロック検出部２１にあっては、シリアルデータＤＺＳにシリアル／パラレル変換が施されて、図５のＡに示される如くの、パラレルデータである複合１０ビットワード列データＤＺ（１０）が形成される。
【００５９】
また、Ｓ／Ｐ変換・クロック検出部２１においては、シリアルデータＤＺＳについてのクロック検出が行われて、クロック信号ＣＬＫが再生される。Ｓ／Ｐ変換・クロック検出部２１によって再生されたクロック信号ＣＬＫは、ワードクロック発生部２２に供給され、ワードクロック発生部２２から、クロック信号ＣＬＫに基づく３種類のワードクロック信号ＣＷＢ，ＣＷＣ及びＣＷＡが送出される。
【００６０】
Ｓ／Ｐ変換・クロック検出部２１において得られた複合１０ビットワード列データＤＺ（１０）は、８ビットワード列データ形成部２３及び同期ワードデータ検出部２４に供給される。同期ワードデータ検出部２４は、複合１０ビットワード列データＤＺ（１０）における第１もしくは第２の付加ワードデータグループに基づく部分に含まれる、ＲＤを常時正（＋）とする１０ビット同期ワードデータである＋Ｋ２８．５を検出し、図５のＢに示される如くの、同期ワードデータ検出信号ＳＫＤを送出する。
【００６１】
同期ワードデータ検出部２４から得られる同期ワードデータ検出信号ＳＫＤは、ワードクロック発生部２２及び同期信号形成部２５に供給される。ワードクロック発生部２２においては、同期ワードデータ検出信号ＳＫＤによってワードクロック信号ＣＷＢ，ＣＷＣ及びＣＷＡの位相が設定される。また、同期信号形成部２５においては、同期ワードデータ検出信号ＳＫＤに基づく同期信号ＳＳが形成される。
【００６２】
Ｓ／Ｐ変換・クロック検出部２１からの複合１０ビットワード列データＤＺ（１０）が供給される８ビットワード列データ形成部２３には、ワードクロック発生部２２から送出されるワードクロック信号ＣＷＢ及びＣＷＣも供給される。そして、８ビットワード列データ形成部２３においては、複合１０ビットワード列データＤＺ（１０) にワードクロック信号ＣＷＢ及びＣＷＣのもとでの１０Ｂ−８Ｂ変換が施され、複合１０ビットワード列データＤＺ（１０) に基づく複合８ビットワード列データＤＺ（８) が形成される。
【００６３】
斯かる際、複合１０ビットワード列データＤＺ（１０) に含まれる１０ビットワードデータ（Ａ’０〜Ａ’９），（Ａ’１０〜Ａ’１９），（Ａ’２０〜Ａ’２９）・・・・・（Ｂ’０〜Ｂ’９），（Ｂ’１０〜Ｂ’１９），（Ｂ’２０〜Ｂ’２９）・・・・・  は、夫々、８ビットワードデータ（Ａ０〜Ａ７），（Ａ８〜Ａ１５），（Ａ１６〜Ａ２３）・・・・・，（Ｂ０〜Ｂ７），（Ｂ８〜Ｂ１５），（Ｂ１６〜Ｂ２３）・・・・・  に変換される。さらに、複合１０ビットワード列データＤＺ（１０) における第１の付加ワードデータグループに基づく部分に含まれる１０ビットワードデータである−Ｄ２１．４，Ｄ２１．３及びＤ２１．５、及び、１０ビット同期ワードデータである＋Ｋ２８．５は、夫々、補助ワードデータＤＥＢ（８），補助ワードデータＤＥＡ（８），補助ワードデータＤＥＣ（８）及び同期ワードデータＤＥＫ（８）に変換され、また、複合１０ビットワード列データＤＺ（１０) における第２の付加ワードデータグループに基づく部分に含まれる１０ビットワードデータであるＤ２１．５，Ｄ２１．３及びＤ２１．５、及び、１０ビット同期ワードデータである＋Ｋ２８．５は、夫々、補助ワードデータＤＥＣ（８），補助ワードデータＤＥＡ（８），補助ワードデータＤＥＣ（８）及び同期ワードデータＤＥＫ（８）に変換される。そして、これらの変換された８ビットワードデータは、複合８ビットワード列データＤＺ（８) に含まれる。
【００６４】
８ビットワード列データ形成部２３から得られる複合８ビットワード列データＤＺ（８) は、データ分離部２６に供給される。データ分離部２６には、同期信号形成部２５において形成される同期ワードデータ検出信号ＳＫＤに基づく同期信号ＳＳも供給される。そして、データ分離部２６においては、同期信号形成部２５からの、複合１０ビットワード列データＤＺ（１０）における第１もしくは第２の付加ワードデータグループに基づく部分に含まれる１０ビット同期ワードデータである＋Ｋ２８．５に対応した同期信号ＳＳに基づいて、複合８ビットワード列データＤＺ（８) から、多重８ビットワード列データＤＸ（８) と、第１の付加ワードデータグループを形成する補助ワードデータＤＥＢ（８），補助ワードデータＤＥＡ（８），同期ワードデータＤＥＫ（８）及び補助ワードデータＤＥＣ（８）と、第２の付加ワードデータグループを形成する補助ワードデータＤＥＣ（８），補助ワードデータＤＥＡ（８），同期ワードデータＤＥＫ（８）及び補助ワードデータＤＥＣ（８）とが分離されて取り出される。
【００６５】
データ分離部２６において取り出された多重８ビットワード列データＤＸ（８) は、１０ビットワード列データ形成部２７に供給される。１０ビットワード列データ形成部２７には、ワードクロック発生部２２から送出されるワードクロック信号ＣＷＣ及びＣＷＢも供給される。そして、１０ビットワード列データ形成部２７においては、多重８ビットワード列データＤＸ（８) にワードクロック信号ＣＷＣ及びＣＷＢのもとでの８Ｂ−１０Ｂ変換が施され、多重８ビットワード列データＤＸ（８) に基づく多重１０ビットワード列データＤＺ（１０) が形成される。
【００６６】
そして、１０ビットワード列データ形成部２７から得られる多重１０ビットワード列データＤＺ（１０) は、データ再生部２８に供給される。データ再生部２８には、ワードクロック発生部２２から送出されるワードクロック信号ＣＷＢ及びＣＷＡも供給される。そして、データ再生部２８においては、ワードクロック信号ＣＷＢ及びＣＷＡに基づいて、多重１０ビットワード列データＤＺ（１０) が、３種類の映像信号情報を夫々あらわす１０ビットワード列データＳＶＡ（１０），ＳＶＢ（１０）及びＳＶＣ（１０）に分解され、データ再生部２８から１０ビットワード列データＳＶＡ（１０），ＳＶＢ（１０）及びＳＶＣ（１０）が個別に導出される。それにより、１０ビットワード列データＳＶＡ（１０），ＳＶＢ（１０）及びＳＶＣ（１０）の夫々が再生されることになる。
【００６７】
図４に示されるデータ受信装置の例にあっては、ＲＤを常時正（＋）とする１０ビット同期ワードデータである＋Ｋ２８．５を含むものとされた複合１０ビットワード列データＤＺ（１０）に基づくシリアルデータＤＺＳを受信して、１０ビットワード列データＳＶＡ（１０），ＳＶＢ（１０）及びＳＶＣ（１０）を再生する動作を行い、ワード同期データ検出部２４が、ＲＤを常時正（＋）とする１０ビット同期ワードデータである＋Ｋ２８．５を検出するものとされているが、例えば、ＲＤを常時負（−）とする１０ビット同期ワードデータである−Ｋ２８．５を含むものとされた複合１０ビットワード列データＤＺ（１０）に基づくシリアルデータＤＺＳを受信して、１０ビットワード列データＳＶＡ（１０），ＳＶＢ（１０）及びＳＶＣ（１０）を再生する動作を行うデータ受信装置も、図４に示されるデータ受信装置の例と同様に構成される。但し、その場合には、ワード同期データ検出部２４が、ＲＤを常時負（−）とする１０ビット同期ワードデータである−Ｋ２８．５を検出するものとされる。
【００６８】
【発明の効果】
以上の説明から明らかな如く、本願の特許請求の範囲における請求項１から請求項１０までのいずれかに記載された発明に係るデータ伝送方法、もしくは、本願の特許請求の範囲における請求項１１から請求項２２までのいずれかに記載された発明に係るデータ伝送装置によれば、８ビットワード列データに対して、所定のタイミング信号に応じて各々が設定されたコードを有する８ビットワードデータとされた特定同期ワードデータ及び少なくとも一つの補助ワードデータを含んだ付加ワードデータグループを付加したもとで、１０ビットワード列データへのビット変換を行って複合１０ビットワード列データを得、それを伝送すべく送出するにあたり、その複合１０ビットワード列データが、付加ワードデータグループに基づく部分を含むものとされ、そのワードデータグループに基づく部分が、特定同期ワードデータに基づく１０ビット同期ワードデータを含み、かつ、その１０ビット同期ワードデータが、ＲＤを常時正もしくは常時負とするものとされる。
【００６９】
従って、伝送されるべく送出される複合１０ビットワード列データにあっては、ＲＤを常時正もしくは常時負とする１０ビット同期ワードデータが含まれていることになり、斯かる複合１０ビットワード列データに含まれる１０ビット同期ワードデータが、ＲＤを常時正とするものとされるか、ＲＤを常時負とするものとされるかは、伝送された複合１０ビットワード列データを受ける受信側における同期ワードデータ検出が、ＲＤを正とする同期ワードデータのみを検出するものとされているか、ＲＤを負とする同期ワードデータのみを検出するものとされているかに応じて設定される。
【００７０】
従って、本願の特許請求の範囲における請求項１から請求項１０までのいずれかに記載された発明に係るデータ伝送方法、もしくは、本願の特許請求の範囲における請求項１１から請求項２２までのいずれかに記載された発明に係るデータ伝送装置により送出される複合１０ビットワード列データは、それを受ける受信側が同期ワードデータ検出を、ＲＤを正とする同期ワードデータのみを検出することにより行う場合、もしくは、ＲＤを負とする同期ワードデータのみを検出することにより行う場合のいずれのもとにおいても、受信側において、１０ビット同期ワードデータが、１０ビットワード列データから８ビットワード列データへの変換等のため必要とされる同期ワードデータとして、適正に検出されることになるものとされる。それゆえ、受信側にあっては、受信された複合１０ビットワード列データに基づく信号情報の再生のための処理に必要とされるデータ同期状態が、確実に得られる状態が確保されることになる。
【００７１】
また、本願の特許請求の範囲における請求項１から請求項１０までのいずれかに記載された発明に係るデータ伝送方法、及び、本願の特許請求の範囲における請求項１１から請求項２２までのいずれかに記載された発明に係るデータ伝送装置にあっては、例えば、ファイバーチャンネル・システムによるディジタル・データ処理用に提供されている集積回路（ＩＣ）素子を有効に利用することができることになる。
【図面の簡単な説明】
【図１】  本願の特許請求の範囲に記載された発明に係るデータ伝送方法が実施される、本願の特許請求の範囲に記載された発明に係るデータ伝送装置の一例を示すブロック構成図である。
【図２】  図１に示される例の動作説明に供されるタイムチャートである。
【図３】  図１に示される例において用いられる補助ワードデータの説明に供される概念図である。
【図４】  図１に示される例により送出されたデータを受信するデータ受信装置の一例を示すブロック構成図である。
【図５】  図４に示されるデータ受信装置の例の動作説明に供されるタイムチャートである。
【図６】  ディジタルデータの伝送にあたって用いられる“フレーム”の説明に供される概念図である。
【図７】  ディジタルデータの伝送にあたって用いられる同期ワードデータの説明に供される概念図である。
【符号の説明】
１１・・・データ多重部，  １２・・・ワードクロック発生部，  １３・・・８ビットワード列データ形成部，  １４・・・１０ビットワード列データ形成部，  １５・・・タイミング信号発生部，  １６，１７・・・ワードデータ送出部，  １８・・・Ｐ／Ｓ変換部
【図１】
0004026255.tif 000002
【図２】
0004026255.tif 000003
【図３】
0004026255.tif 000004
【図４】
0004026255.tif 000005
【図５】
0004026255.tif 000006
【図６】
0004026255.tif 000007
【図７】
0004026255.tif 000008